(57)【要約】【課題】【解決手段】送信装置２は、装置配置領域ＳＴの複数の無線タグにそれぞれ記憶された、ＦＥＣ符号化により得られたＩＤ素片を読み取り、それを復号化して元のＩＤを復元し、該ＩＤをデータに重畳して送信する。受信装置３は、装置配置領域ＳＲの複数の無線タグにそれぞれ記憶された、ＦＥＣ符号化により得られたＩＤ素片を読み取り、元のＩＤに復号化する。受信装置３は、復号化により得られたＩＤが、受信信号に重畳されている場合に、信号が自分に宛てられたものと判定し、データを解釈実行する。これにより、２つの装置配置領域の一方に存在する送信装置からの信号を他方に存在する受信装置のみが受信できる。無線タグを、読取信号を不要とする能動型にしてもよい。【選択図】図３−Ａ
2006033152.tif 000002
【特許請求の範囲】
【請求項１】
少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の無線タグ、及び、第１の装置配置領域と重複していない第２の装置配置領域を規定する複数の第２の無線タグであって、それぞれが、ＦＥＣ符号化により、ある所定のＩＤを分割することにより得られた複数の分割片の１又は複数からなるＩＤ素片を含むＩＤ情報を保持している第１及び第２の無線タグと、
第１又は第２の装置配置領域に存在するときに、無線のＩＤ読取信号を出力して第１又は第２の無線タグそれぞれのＩＤ情報を読み取る読取手段と、該読み取ったＩＤ情報から元のＩＤを復号化する手段と、復号化されたＩＤを通信信号に重畳して送信する手段とを備えている送信装置と、
第２又は第１の装置配置領域に存在するときに、無線のＩＤ読取信号を出力して第２又は第１の無線タグそれぞれのＩＤ情報を読み取る読取手段と、該読み取ったＩＤ情報から元のＩＤを復号化する手段と、復号化されたＩＤが、受信した通信信号に重畳されているか否かを判定する判定手段と、該判定手段が重畳されていると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システム。
【請求項２】
少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の無線タグ、及び、第１の装置配置領域と重複していない第２の装置配置領域を規定する複数の第２の無線タグであって、それぞれが、ＦＥＣ符号化により、ある所定のＩＤを分割することにより得られた複数の分割片の１又は複数からなるＩＤ素片を含むＩＤ情報を保持している第１及び第２の無線タグと、
第１又は第２の装置配置領域に存在するときに、無線のＩＤ読取信号を出力して第１又は第２の無線タグそれぞれのＩＤ情報を読み取る読取手段と、該読み取ったＩＤ情報を通信信号に重畳して送信する手段とを備えている送信装置と、
第２又は第１の装置配置領域に存在するときに、無線のＩＤ読取信号を出力して第２又は第１の無線タグそれぞれのＩＤ情報を読み取る読取手段と、該読み取ったＩＤ情報から元のＩＤを復号化する第１の復号化手段と、読み取ったＩＤ情報のいずれかと受信した通信信号に重畳されているＩＤ情報とを用いて、元のＩＤに復号化する第２の復号化手段と、第１の復号化手段により得られたＩＤと第２の復号化手段により得られたＩＤとが同一であるか否かを判定する判定手段と、該判定手段が同一であると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システム。
【請求項３】
請求項１又は２記載の通信システムにおいて、送信装置及び受信装置それぞれの読取手段から出力されるＩＤ読取信号は、赤外線信号、超音波信号、又は電界強度が低い電波信号であることを特徴とする通信システム。
【請求項４】
請求項１〜３いずれかに記載の通信システムにおいて、第１及び第２の無線タグは、ＩＤ読取信号を受け取ったときに、自身のＩＤ情報を、赤外線信号、超音波信号、又は電界強度が低い電波信号として出力するよう構成されていることを特徴とする通信システム。
【請求項５】
少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の能動型無線タグ、及び、第１の装置配置領域と重複していない第２の装置配置領域を規定する複数の第２の能動型無線タグであって、それぞれが、ＦＥＣ符号化により、ある所定のＩＤを分割することにより得られた複数の分割片の１又は複数からなるＩＤ素片を含むＩＤ情報を保持し、かつ格納されたＩＤ情報を能動的に出力する第１及び第２の能動型無線タグと、
第１又は第２の装置配置領域に存在するときに、第１又は第２の能動型無線タグそれぞれのＩＤ情報を収集する読取手段と、該収集したＩＤ情報から元のＩＤを復号化する手段と、復号化されたＩＤを通信信号に重畳して送信する手段とを備えている送信装置と、
第２又は第１の装置配置領域に存在するときに、第２又は第１の能動型無線タグのＩＤ情報を収集する読取手段と、該収集したＩＤ情報から元のＩＤを復号化する手段と、復号化されたＩＤが、受信した通信信号に重畳されているか否かを判定する判定手段と、該判定手段が重畳されていると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システム。
【請求項６】
少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の能動型無線タグ、及び、第１の装置配置領域と重複していない第２の装置配置領域を規定する複数の第２の能動型無線タグであって、それぞれが、ＦＥＣ符号化により、ある所定のＩＤを分割することにより得られた複数の分割片の１又は複数からなるＩＤ素片を含むＩＤ情報を保持し、かつ格納されたＩＤ情報を能動的に出力する第１及び第２の能動型無線タグと、
第１又は第２の装置配置領域に存在するときに、第１又は第２の能動型無線タグそれぞれのＩＤ情報を収集する読取手段と、該収集したＩＤ情報を通信信号に重畳して送信する手段とを備えている送信装置と、
第２又は第１の装置配置領域に存在するときに、第２又は第１の能動型無線タグの１又は複数のＩＤ情報を収集する読取手段と、該収集したＩＤ情報から元のＩＤを復号化する第１の復号化手段と、収集したＩＤ情報のいずれかと受信した通信信号に重畳されているＩＤ情報とを用いて、元のＩＤに復号化する第２の復号化手段と、第１の復号化手段により得られたＩＤと第２の復号化手段により得られたＩＤとが同一であるか否かを判定する判定手段と、該判定手段が同一であると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システム。
【請求項７】
請求項５又は６記載の通信システムにおいて、第１及び第２の能動型無線タグは、自身のＩＤ情報を、赤外線信号、超音波信号、又は電界強度が低い電波信号として出力するよう構成されていることを特徴とする通信システム。
【請求項８】
請求項１〜７いずれかに記載の通信システムにおいて、送信装置及び受信装置は、制御装置及び被制御装置であることを特徴とする通信システム。
【請求項９】
請求項８記載の通信システムにおいて、制御装置及び被制御装置は、リモコン操作装置及びＴＶ受信機であることを特徴とする通信システム。
【請求項１０】
請求項１〜７いずれかに記載の通信システムにおいて、受信装置及び送信装置は、パーソナルコンピュータであることを特徴とする通信システム。
【請求項１１】
請求項１〜１０いずれかに記載の通信システムにおいて、送信装置から受信装置への通信信号は、無線通信信号であることを特徴とする通信システム。
【発明の詳細な説明】
【発明の技術分野】
【０００１】
本発明は、通信システムに関し、より詳細には、制御信号及びデータ信号等の任意の通信信号が意図する送信先にのみ適切に受信されるようにした通信システムに関する。
【背景技術】
【０００２】
無線通信技術を用いた遠隔制御システムにおいて、特定の制御装置から被制御装置を遠隔制御可能であるが他の制御装置から遠隔制御が不可能となるように、設定する必要がある場合がある。このような場合、以下の特許文献１及び２に記載されているように、制御装置において、被制御装置を特定するためのＩＤ信号を制御信号に重畳して送信し、被制御装置において、受信した制御信号の内、自己のＩＤ信号が重畳されている制御信号のみを自己宛であるとして取り込み、そして、それに基づいて制御動作を行うようにしている。
また、以下の特許文献３には、ネットワークに接続された送信装置及び受信装置等の機器をグループ化するためのシステムが記載されている。該システムにおいては、機器が赤外線信号を受信すると、該信号がコントロール部に送られ、該コントロール部が他の機器と通信して、それぞれの機器がどのグループに属しているかを認識することにより、グループ内で通信が行えるようにしている。
【特許文献１】特開２００３−４７０７８号公報
【特許文献２】特開２００２−３７４５８２号公報
【特許文献３】特開２００３−３７６０４号公報
【発明の開示】
【発明が解決しようとする課題】
【０００３】
しかしながら、上記した特許文献１及び２に記載された遠隔制御システムにおいては、被制御装置のＩＤを、制御装置及び被制御装置の両方に予め設定する必要がある。したがって、制御装置及び被制御装置の組み合わせが比較的頻繁に変更されるような場合、その都度、ＩＤを制御装置及び被制御装置に設定し直す必要がある。また、制御装置及び被制御装置の組み合わせが固定されている場合であっても、制御装置（又は被制御装置）が取り替えられたときには、新しい制御装置（又は被制御装置）にＩＤを設定し直す必要がある。このようなＩＤの再設定は、操作者にとって煩雑であり、したがって、簡単にかつ自動的にＩＤを再設定するための方法の提案が切望されている。
上記した問題点は、制御装置及び被制御装置からなる遠隔制御システムだけでなく、ＩＤを重畳してデータ等の信号を通信する送信装置及び受信装置からなる一般の有線通信システム及び無線通信システムにおいても、同様に言えることである。
したがって、以下においては、「送信装置」及び「受信装置」は、「制御装置」及び「被制御装置」を含んだ通信を行う任意の組み合わせを意味し、「通信システム」とは、「遠隔制御システム」を含んだ、通信を行う有線及び無線の任意のシステムを意味するものとする。
また、上記した特許文献３のシステムにおいては、上記したように、同一のグループに属する機器を認識するためには、予め機器同士で通信を行う必要がある。
【０００４】
本発明は、上記した従来例の問題点を解決するためになされたものであり、その目的は、少なくとも１つの送信装置から送信される通信信号を少なくとも１つの送信装置に送信するようにした通信システムにおいて、送信装置及び受信装置に予めＩＤを固定的に割り当て記憶させることなく、送信装置からの通信信号が意図する受信装置のみに受信されるようにすることである。
【課題を解決するための手段】
【０００５】
上記した目的を達成するために、第１の観点の本発明は、少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の無線タグ、及び、第１の装置配置領域と重複していない第２の装置配置領域を規定する複数の第２の無線タグであって、それぞれが、ＦＥＣ符号化により、ある所定のＩＤを分割することにより得られた複数の分割片の１又は複数からなるＩＤ素片を含むＩＤ情報を保持している第１及び第２の無線タグと、
第１又は第２の装置配置領域に存在するときに、無線のＩＤ読取信号を出力して第１又は第２の無線タグそれぞれのＩＤ情報を読み取る読取手段と、該読み取ったＩＤ情報から元のＩＤを復号化する手段と、復号化されたＩＤを通信信号に重畳して送信する手段とを備えている送信装置と、
第２又は第１の装置配置領域に存在するときに、無線のＩＤ読取信号を出力して第２又は第１の無線タグそれぞれのＩＤ情報を読み取る読取手段と、該読み取ったＩＤ情報から元のＩＤを復号化する手段と、復号化されたＩＤが、受信した通信信号に重畳されているか否かを判定する判定手段と、該判定手段が重畳されていると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システムを提供する。
【０００６】
上記した目的を達成するために、第２の観点の本発明は、少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の無線タグ、及び、第１の装置配置領域と重複していない第２の装置配置領域を規定する複数の第２の無線タグであって、それぞれが、ＦＥＣ符号化により、ある所定のＩＤを分割することにより得られた複数の分割片の１又は複数からなるＩＤ素片を含むＩＤ情報を保持している第１及び第２の無線タグと、
第１又は第２の装置配置領域に存在するときに、無線のＩＤ読取信号を出力して第１又は第２の無線タグそれぞれのＩＤ情報を読み取る読取手段と、該読み取ったＩＤ情報を通信信号に重畳して送信する手段とを備えている送信装置と、
第２又は第１の装置配置領域に存在するときに、無線のＩＤ読取信号を出力して第２又は第１の無線タグそれぞれのＩＤ情報を読み取る読取手段と、該読み取ったＩＤ情報から元のＩＤを復号化する第１の復号化手段と、読み取ったＩＤ情報のいずれかと受信した通信信号に重畳されているＩＤ情報とを用いて、元のＩＤに復号化する第２の復号化手段と、第１の復号化手段により得られたＩＤと第２の復号化手段により得られたＩＤとが同一であるか否かを判定する判定手段と、該判定手段が同一であると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システムを提供する。
【０００７】
第１及び第２の観点の本発明に係る通信システムにおいて、送信装置及び受信装置それぞれの読取手段から出力されるＩＤ読取信号は、赤外線信号、超音波信号、又は電界強度が低い電波信号であることが好ましい。また、第１及び第２の無線タグは、ＩＤ読取信号を受け取ったときに、自身のＩＤ情報を、赤外線信号、超音波信号、又は電界強度が低い電波信号として出力するよう構成されているが好ましい。
【０００８】
上記した目的を達成するために、第３の観点の本発明は、少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の能動型無線タグ、及び、第１の装置配置領域と重複していない第２の装置配置領域を規定する複数の第２の能動型無線タグであって、それぞれが、ＦＥＣ符号化により、ある所定のＩＤを分割することにより得られた複数の分割片の１又は複数からなるＩＤ素片を含むＩＤ情報を保持し、かつ格納されたＩＤ情報を能動的に出力する第１及び第２の能動型無線タグと、
第１又は第２の装置配置領域に存在するときに、第１又は第２の能動型無線タグそれぞれのＩＤ情報を収集する読取手段と、該収集したＩＤ情報から元のＩＤを復号化する手段と、復号化されたＩＤを通信信号に重畳して送信する手段とを備えている送信装置と、
第２又は第１の装置配置領域に存在するときに、第２又は第１の能動型無線タグのＩＤ情報を収集する読取手段と、該収集したＩＤ情報から元のＩＤを復号化する手段と、復号化されたＩＤが、受信した通信信号に重畳されているか否かを判定する判定手段と、該判定手段が重畳されていると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システムを提供する。
【０００９】
上記した目的を達成するために、第４の観点の本発明は、少なくとも１つの送信装置から送信される通信信号を受信可能な複数の受信装置が存在する環境において、該送信装置からの通信信号が意図する受信装置にのみ受信されるようにした通信システムであって、
第１の装置配置領域を規定する複数の第１の能動型無線タグ、及び、第１の装置配置領域と重複していない第２の装置配置領域を規定する複数の第２の能動型無線タグであって、それぞれが、ＦＥＣ符号化により、ある所定のＩＤを分割することにより得られた複数の分割片の１又は複数からなるＩＤ素片を含むＩＤ情報を保持し、かつ格納されたＩＤ情報を能動的に出力する第１及び第２の能動型無線タグと、
第１又は第２の装置配置領域に存在するときに、第１又は第２の能動型無線タグそれぞれのＩＤ情報を収集する読取手段と、該収集したＩＤ情報を通信信号に重畳して送信する手段とを備えている送信装置と、
第２又は第１の装置配置領域に存在するときに、第２又は第１の能動型無線タグの１又は複数のＩＤ情報を収集する読取手段と、該収集したＩＤ情報から元のＩＤを復号化する第１の復号化手段と、収集したＩＤ情報のいずれかと受信した通信信号に重畳されているＩＤ情報とを用いて、元のＩＤに復号化する第２の復号化手段と、第１の復号化手段により得られたＩＤと第２の復号化手段により得られたＩＤとが同一であるか否かを判定する判定手段と、該判定手段が同一であると判定した場合に、通信信号を自分に宛てられたものと判定する手段とを備えている受信装置と
からなり、第１及び第２の装置配置領域の一方に存在する送信装置からの信号を他方に存在する受信装置が受信できるようにしたことを特徴とする通信システムを提供する。
【００１０】
第３及び第４の観点の通信システムにおいて、第１及び第２の能動型無線タグは、自身のＩＤ情報を、赤外線信号、超音波信号、又は電界強度が低い電波信号として出力するよう構成されていることが好ましい。
第１〜第４の観点の通信システムにおいて、送信装置及び受信装置は、リモコン操作装置及びＴＶ受信機等からなる制御装置及び被制御装置であるか、または、受信装置及び送信装置は、パーソナルコンピュータであることが好ましく、また、送信装置から受信装置への通信信号は、無線通信信号であることが好ましい。
【発明の効果】
【００１１】
本発明は、上記したように構成されているので、送信装置及び受信装置に予めＩＤを固定的に設定記憶させることなく、送信装置及び受信装置が予め設定された対応する装置配置領域に配置されたときに、無線タグ（又は能動型無線タグ）に記憶されたＩＤを読み取ってそれを通信信号に重畳させることができる。したがって、通信すべき送信装置及び受信装置の組み合わせが頻繁に変更される場合等において、極めて実用的である。
また、ＦＥＣ符号化を利用して、ＩＤを複数に分割した分割片を冗長に割り当てた複数のＩＤ素片をそれぞれ無線タグ（又は能動型無線タグ）に格納させているので、無線タグ（又は能動型無線タグ）の記憶容量を低減させ、ＩＤの読取に要する時間を短縮することができる。また、無線タグ（又は能動型無線タグ）にそれぞれ格納されるＩＤ素片が異なる符号値を有していながら、復号により得られるＩＤが同一であるため、個々の無線タグ（又は能動型無線タグ）の位置を管理する必要がない。すなわち、送信装置及び受信装置の近傍にあるすべての無線タグ（又は能動型無線タグ）が異なるＩＤを有する場合、送信装置及び受信装置が存在する位置を特定するためには、位置情報サーバ等によりこれら無線タグ（又は能動型無線タグ）のＩＤ一覧を記憶し管理する必要があるが、本発明によればこのような必要を排除することができる。
【発明を実施するための最良の形態】
【００１２】
以下に、図面を参照して、本発明の好適な実施形態を説明する。なお、本明細書及び図面においては、同一の参照番号又は記号は、同一又は類似の構成要素を示すものとする。
図１−Ａ及びＢは、本発明の第１の実施形態の通信システムを示している。図１−Ａにおいて、１Ｔ及び１Ｒは、建物等の天井、壁、床、机等の任意の箇所に配置された無線タグであり、２及び３は送信装置及び受信装置を示している。無線タグ１Ｔ及び１Ｒには、同一のＩＤが記憶されている。そして、送信装置２は、データの送信時にＩＤ読取信号を送信し、それに応じて無線タグ１Ｔから返送される応答信号＃１Ｔに含まれるＩＤを読み取り、読み取ったＩＤを送信すべきデータに重畳して送信する。一方、受信装置３は、信号を受信したときにＩＤ読取信号を送信し、それに応じて無線タグ１Ｒから返送される応答信号＃１Ｒに含まれるＩＤを読み取り、受信した信号中のＩＤと無線タグ１Ｒから読み取ったＩＤとを対比し、同一である場合に、受信した信号が自分宛であると判定して、受信信号中のデータの処理を行う。
【００１３】
なお、図１−Ａにおいて、ＳＴ及びＳＲはそれぞれ装置配置領域であり、これら装置配置領域は、送信装置が配置されれば送信装置配置領域となり、受信装置が配置されれば受信装置配置領域となる。したがって、装置配置領域は送信装置配置領域となったり受信装置配置領域となったりするものであるが、以下においては、説明の便宜上、一方の装置配置領域を送信装置配置領域ＳＴとし、他方の装置配置領域を受信装置配置領域ＳＲと称する。
送信装置配置領域ＳＴは、該領域に存在する送信装置２と無線タグ１Ｔとの間でＩＤ読取信号及びそれに応じて返送される応答信号の通信が可能な領域であり、受信装置配置領域ＳＲは、該領域に存在する受信装置３と無線タグ１Ｒとの間でＩＤ読取信号及びそれに応じて返送される応答信号の通信が可能な領域である。
また、これらＩＤ読取信号及び応答信号は、電波、赤外線、及び超音波等からなり、送信装置２から受信装置３への通信信号に対比してその強度が十分に小さく、したがって到達距離が十分に短い信号である。したがって、送信装置配置領域ＳＴ及び受信装置配置領域ＳＲは、比較的小さい領域である。
【００１４】
このように、送信装置２及び受信装置３を、同一のＩＤを記憶した無線タグ１Ｔ及び１Ｒの近傍に配置してＩＤを読み取ることにより、これらの間で通信を行うことができる。また、無線タグ１Ｔ及び１Ｒが同一のＩＤを保持していることから、無線タグ１Ｔの近傍に受信装置３を配置し、無線タグ１Ｒの近傍に送信装置２を配置してもよい。さらに、送受信機能を有する装置であれば、相手を特定した双方向通信が可能である。
また、送信装置２及び受信装置３を無線タグ１Ｔ及び１Ｒに近接して固定的又は半固定的に配置してもよく、送信装置２及び受信装置３の少なくとも一方を携帯型としてもよい。さらに、無線タグからＩＤを読み取る機能を有する送信装置又は受信装置であれば、任意の装置を交換可能に使用することもできる。
【００１５】
第１の実施形態において、送信装置２は、図１−Ｂに示すように、送信すべきデータを生成するデータ生成部２１、無線タグ１ＴからＩＤを読み取るＩＤ読取部２２、読み取られたＩＤと生成されたデータとを合成するデータ／ＩＤ合成部２３、及び合成されたデータ及びＩＤを送信信号として送信する送信部２４を備えている。
一方、受信装置３は、送信装置２から送信された信号を受信する受信部３１、無線タグ１ＲからＩＤを読み取るＩＤ読取部３２、受信した信号中のＩＤとデータとを分離する信号分離部３３、分離されたＩＤとＩＤ読取部３２に読み取られたＩＤとを対比して一致／不一致を反転するＩＤ判定部３４、及び分離されたデータを処理するデータ処理部３５を備えている。
無線タグ１Ｔ及び１Ｒは同一の構成を有し、ＩＤを記憶しているＩＤ格納部１１、及び応答部１２を備えている。応答部１２は、送信装置２（又は受信装置３）のＩＤ読取部２２（又はＩＤ読取部３２）からのＩＤ読取信号に応答して、ＩＤ格納部１１からＩＤを読み出し、該ＩＤを応答信号＃１Ｔ（又は＃１Ｒ）として、ＩＤ読取部に読み取らせるよう機能する。
【００１６】
無線タグ１Ｔ及び１ＲからのＩＤの読み取りは、上記したように、送信装置２においてはデータ生成部２１が駆動されたときに自動的に行い、受信装置３においては信号を受信した時点で自動的に行うことが好ましいが、例えば、送信装置２及び受信装置３を無線タグの近傍に配置した時点等の任意の時点で、オペレータが送信装置２及び受信装置３を操作してＩＤ読取部２２及び３２を駆動することにより実行してもよい。また、送信装置２及び受信装置３に電源を投入した時点で、自動的にＩＤ読取部２２及び３２を駆動させるよう制御することにより、無線タグ１Ｔ及び１ＲからＩＤを読み取るように構成してもよい。このようなＩＤ読取部２２の駆動タイミングについては、以降で説明する第２〜第５の実施形態においても同様に構成することができる。
【００１７】
図２は、本発明の第２の実施形態を示している。この第２の実施形態においては、送信装置配置領域ＳＴに、同一のＩＤ又は異なるＩＤを格納した複数個の無線タグを離散的に配置し、受信装置配置領域ＳＲに、送信装置配置領域ＳＴの無線タグのＩＤと対応する同一又は異なるＩＤを格納した複数の無線タグを離散配置している。具体的には、図２の例においては、限定するものではないが、無線タグを送信装置配置領域ＳＴ及び受信装置配置領域ＳＲにそれぞれ２個づつ設けている。送信装置２及び受信装置３の具体的構成は、図１−Ｂに示した構成と実質的に同一である。
【００１８】
各領域の複数の無線タグのＩＤを全て同一にした場合には、送信装置２及び受信装置３の配置位置の選択にある程度の自由度が生じる。この場合、送信装置配置領域ＳＴ及び受信装置配置領域ＳＲの一方のみに複数の無線タグを設け、他方の領域に１つの無線タグを設けてもよい。例えば、受信装置が受信装置配置領域ＳＲに固定的に配置される場合には、該領域ＳＲに１つの無線タグを設け、送信装置は一領域ＳＴには同一のＩＤの複数の無線タグを配置してもよい。
各領域の複数の無線タグにＩＤを異ならせた場合に、受信装置３のＩＤ判定部３６は、自分が読み取った複数の異なるＩＤと受信信号に含まれる複数の異なるＩＤとが全て一致している場合に、信号が自分宛であると判定するように構成することもでき、逆に、１つでも一致している場合に、信号が自分宛であると判定するよう構成することもできる。前者の場合は、送信装置２及び受信装置３の配置位置の選択自由度が狭められる。
【００１９】
上記第１及び第２の実施形態において、送信装置２及び受信装置３の一方に、ＩＤを記憶させておいてもよい。この場合、ＩＤをメモリカード等に記憶しておき、使用時に送信装置２又は受信装置３に該メモリカードを装着させてもよい。
【００２０】
図３−Ａ及びＢは、本発明の第３の実施形態を示している。この第３の実施形態においては、送信側及び受信側の無線タグを複数個とし、これら無線タグへのＩＤの割り当てに、ＦＥＣ（順方向誤り訂正：forward error correction）符号化技術を利用し、かつ、送信装置２及び受信装置３にＩＤの復号化手段を備えている。なお、ＦＥＣ符号化とは、元のデータをｋ個のブロックに分割した上で、ｋよりも多いｎ個のブロックに冗長に符号化し、符号化されたｎ個のブロック中の任意のｋ個のブロックから、元のデータが復元できるようにした符号化方式である。
【００２１】
ＦＥＣ符号化を利用した第３の実施形態においては、例えば、図３−Ａに示すように、送信側に２つの無線タグ１Ｔ１及び１Ｔ２を配置し、受信側に２つの無線タグ１Ｒ１及び１Ｒ２を配置している。なお、無線タグの数は上記に限定されずに、任意の複数でよい。この第３の実施形態においては、ＦＥＣ符号化により、比較的長い１つのＩＤを３（＝ｋ）の分割片に分割し、これら３つの分割片を冗長に４（＝ｎ）個に割り当てることによって４個のＩＤ素片を作成し、これらＩＤ素片をそれぞれ無線タグ１Ｔ１、１Ｔ２、１Ｒ１、１Ｒ２に割り当てて記憶させている。
各無線タグには、分割片の符号値の他、冗長分割数（ｎ）及び冗長分割位置（０，１，…，ｎ−１）の情報も含まれる。冗長分割位置はＦＥＣ符号化および復号化演算に必要な生成行列の行番号に相当する。
【００２２】
そして、図３−Ｂに示すように、送信装置２はＩＤ復号部２５を備え、該復号部は、ＩＤ読取部２２によって読み取った無線タグ１Ｔ１及び１Ｔ２からの応答信号中のＩＤ情報を復号化して元のＩＤを復元する。受信装置３も、同様な機能を有するＩＤ復号部３６を備えている。
例えば、無線タグに格納されるＩＤ素片が２つの分割片を含んでいる場合、ＩＤ情報は、
分割数＋冗長分割数＋（冗長分割位置＋分割片符号値）
＋（冗長分割位置＋分割片符号値）
によって表される。
これらＩＤ情報に基づいてＩＤ復号部２５、３６が複合化を行い、復号化されたＩＤが、データ／ＩＤ合成部２３及びＩＤ判定部３４にそれぞれ供給される。
【００２３】
なお、通常、無線タグに記憶可能なＩＤ長（符号値のバイト数）は限られているため、ＩＤを長くする必要がある場合は分割せざるを得ないが、ＩＤを単純にｋ個に分割してｋ個の無線タグに割り当てて格納すると、元のＩＤを復元するためには、ｋ個すべての無線タグを各領域（送信装置配置領域又は受信装置配置領域）に配置する必要があるが、無線タグの読取エラーも考慮するとｋ個では不十分で、ｋの２倍程度の数の無線タグを配置する必要がある。本発明の第３の実施形態であるＦＥＣ符号化を利用した場合には予想される読取エラーの比率に応じて一般に単純分割した場合に比べはるかに少ない数の無線タグを配置すれば済む。
また、送信装置及び受信装置の近傍にあるすべての無線タグが異なるＩＤを有する場合、送信装置及び受信装置が存在する位置を特定するためには、位置情報サーバ等によりこれら無線タグのＩＤ一覧を記憶し管理する必要がある。そのため、ＩＤを単純に分割して無線タグに割り当てた場合には、位置情報サーバ等により、無線タグのＩＤ素片一覧を管理する必要がある。本発明の第３の実施形態においては、無線タグにそれぞれ格納されるＩＤ素片が異なる値を有していながら、復号により同一のＩＤが得られるため、無線タグの位置を管理する必要がない。
【００２４】
図４−Ａ及びＢは、本発明の第４の実施形態を示している。この第４の実施形態においては、第３の実施形態と同様に、送信側及び受信側の無線タグを複数個（例えば２個づつ）とし、これら無線タグへのＩＤの割り当てに、ＦＥＣ符号化技術を利用している。しかしながら、図４−Ｂに示すように、送信装置２にはＩＤ復号部２５（図３−Ｂ）を設けておらず、送信装置２は、無線タグ１Ｔ１及び１Ｔ２から読み取った２つのＩＤ素片をそのまま送信信号に重畳して送信する。そして、受信装置３側では、受信信号から抽出したＩＤ素片を元のＩＤに復号化し、かつ、無線タグ１Ｒ１及び１Ｒ２から読み取ったＩＤ素片を復号化して得たＩＤとを対比するよう構成されている。受信装置３における受信信号から抽出したＩＤ素片の復号化は、受信ＩＤ復号部３７において実行される。
【００２５】
図５は、本発明の第５の実施形態を示している。この第５の実施形態においては、送信装置２及び受信装置３の具体的構成は図４−Ｂに示した第４の実施形態と実質的に同一である。そして、第４の実施形態と比べて、無線タグにＩＤではなくＩＤ素片を格納している点では同一であるものの、送信装置配置領域ＳＴに配置される無線タグが１つ（無線タグ１Ｔ）だけである点が相違している。したがって、送信装置２から送信される信号には、１つのＩＤ素片情報のみが重畳されており、元のＩＤを復元するために必要な情報の一部のみが重畳されている。そこで、受信装置３は、受信した信号中のＩＤ素片と、自分の近傍の無線タグ１Ｒ１及び１Ｒ２から読み取ったＩＤ素片のいずれか又は両方を用いて、元のＩＤを復号化する。この復号は、図４−Ｂの受信ＩＤ復号部３７によって実行される。
【００２６】
ＦＥＣ符号化を適用した第３〜第５の実施形態において、特定の冗長分割位置、例えば冗長分割位置０に重み付をし、ＩＤ復号部２５、３６（及び３７）において、冗長分割位置０の分割片が得られない場合には復号が不可能となるようにするアルゴリズムを実装してもよい。また、重み付けられた分割片を含んだＩＤ素片を固定位置に配置された無線タグには格納せず、携帯電話、腕時計等の携帯機器に格納するようにしてもよい。このように構成することにより、該携帯機器を保有する個人が送信装置配置領域ＳＴ又は受信装置配置領域ＳＲにいなければ通信が確立しないようにすることができる。これは、Parental ControlやDomestic Privacyを行う上で極めて実用的である。
【００２７】
また、第３〜第５の実施形態において、複数のＩＤ素片の１つを送信装置２又は受信装置３内に予め記憶させておいてもよい。また、着脱自在なメモリカード等に１つのＩＤ素片を記憶しておき、使用時に送信装置２又は受信装置３に装着させてもよい。さらに、応答装置をＰＣ等のネットワークに接続された通信機器に接続し、該通信機器を介してネットワーク上の記憶装置や演算装置からＩＤ素片を取得し、該ＩＤ素片を、送信装置又は受信装置の読取信号に応じて返送するようにしてもよい。さらにまた、第３の実施形態において、送信装置２又は受信装置３の一方に、元のＩＤを記憶させておいてもよい。この場合、ＩＤを記憶した装置には、ＩＤ復号部が不要となり、かつ、装置配置領域内に存在する必要もなくなる。
同様に、第１及び第２の実施形態においても、送信装置２及び受信装置３の一方にＩＤを記憶させており、他方のみがＩＤ読み取り機能を備えていてもよく、また、応答装置をＰＣ等のネットワークに接続された通信機器に接続し、該通信機器を介してネットワーク上の記憶装置や演算装置からＩＤを取得し、該ＩＤを、送信装置又は受信装置の読取信号に応じて返送するようにしてもよい。
【００２８】
上記した第１〜第５の実施形態を、送信装置配置領域ＳＴと受信装置配置領域ＳＲとが離間している場合について説明したが、これら２つの領域が全体的又は部分的に重なっていてもよい。すなわち、送信側の応答信号の到達範囲が、受信側の応答信号の到達範囲と重なっていてもよい。例えば、送信装置配置領域ＳＴと受信装置配置領域ＳＲとが全体的にほぼ重なっている場合、送信装置２及び受信装置３は同一の無線タグからのＩＤを読み取ることができるので、全ての無線タグのＩＤを異ならせてもよい。
また、これら実施形態において、無線タグは、ＩＤ読取信号に応答して、格納されているＩＤ又はＩＤ素片を含むＩＤ情報を返送するいわゆる受動型に構成されているが、無線タグを、ＩＤ読取信号を受信しなくても、能動的に所定のインターバルでＩＤ情報を出力する能動的無線タグとして構成してもよい。
さらに、各装置配置領域に複数の無線タグを備える場合、能動型無線タグと受動型無線タグとを混在させてもよい。
【００２９】
さらにまた、上記においては、通信を行うべき送信装置２と受信装置３とが１対１である例について説明したが、１対複数、複数対１、又は複数対複数であってもよい。例えば、１つの送信装置配置領域ＳＴに対応する複数の受信装置配置領域ＳＲを設けてもよく、複数の送信装置配置領域ＳＴに対応する１つの受信装置配置領域ＳＲを設けてもよい。
また、上記した第１〜第５の実施形態において、例えば、複数の受信装置配置領域ＳＲが重なっている場合、すなわち、複数の装置配置領域が重なっており、該重なっている部分に１つの受信装置３が存在する場合、それぞれの装置配置領域の無線タグに記憶されたＩＤ（又はＩＤ素片の元のＩＤ）を異ならせることにより、対応するそれぞれの送信装置配置領域ＳＴからの通信信号のみを受信することができる。複数の送信装置配置領域ＳＴが重なっている場合も同様である。
【００３０】
なお、ＦＥＣ符号化を適用した第３〜第５の実施形態において、例えば、複数の受信装置配置領域が重なっている場合には、受信装置３はこれら全ての領域のＩＤ素片を受け取ることになるため、元のＩＤへの復号が必ずしも成功しない場合がある。これは、どの隣接する領域も異なる識別子を持つように識別子の値を決定し重なっている装置配置領域それぞれに対応する識別子をＩＤ素片に付加して無線タグに格納しておくことにより解決することができる。すなわち、受信装置３は、識別子毎にＩＤ素片からの復号を行うことができるので、これら領域全てのＩＤを復元することができる。
【００３１】
上記した第１〜第５の実施形態における送信装置２及び受信装置３の間の通信手段としてInstant Messagingを利用することもできる。例えば、通信を行う装置を送受信可能なパソコンとし、これらパソコンが無線タグ又は能動的無線タグが配置された装置配置領域に存在することにより、同一のＩＤにより対応付けられた装置配置領域のパソコンとグループ化されることになり、チャットグループ等を形成することができる。通信手段としてＩＰマルチキャストを利用することもできる。
【００３２】
ところで、今日、室内等の比較的狭い範囲においても、無線技術を用いて信号を伝送することが多々ある。この場合、例えば、隣り合っている電磁シールド設備がない２つの会議室において同様な無線システムを用いていると、一方の会議室での無線信号が他方の会議室にも到達してしまい、他方の会議室の受信機器等に不所望の影響を与えてしまうことがある。このような問題は、会議室のみならず、家庭等の隣接する部屋においても生じる問題である。
【００３３】
上記した問題点を解決するために、従来においては、電磁シールドを設けて電磁波が他の会議室へ到達しないようにしたり、また、手動で通信機器相互を近づけることにより、通信先を特定したりしている。
しかしながら、会議室等にシールド設備を設けることは、比較的高価な設備投資を必要とし、また、場合によっては、シールド設備を設けることができない箇所もある。一方、手動で通信機器を相互に近づけなければならないことは、操作者にとって利便性があるとはいえない。
【００３４】
本発明によれば、このような問題点を解決することが可能である。図６−Ａ及びＢは、その一例を示しており、本発明の上記した第２の実施形態をテレビ受信機のリモート制御システムに適用した例を示している。ただし、送信装置配置領域と受信装置配置領域とは、重なっている。
図６−Ａ及びＢにおいて、３Ａ及び３Ｂはそれぞれ、隣接する部屋Ａ及び部屋Ｂに置かれたＴＶ受信機であり、２Ａは、ＴＶ受信機３Ａ及び３Ｂに共通に使用可能なリモコン操作装置である。無線タグ１Ｔ１Ａ、１Ｔ２Ａ、１Ｒ１Ａ、及び１Ｒ２Ａが、部屋Ａの壁面、天井、及び床等の任意の箇所に固定され、また、部屋Ｂにも同様に無線タグ１Ｔ１Ｂ、１Ｔ２Ｂ、１Ｒ１Ｂ、及び１Ｒ２Ｂが固定されている。図においては、各部屋当たり４個の無線タグを配置した例を示しているが、４個に限らず、適宜の数でよい。各部屋において、送信装置配置領域ＳＴ及び受信装置配置領域ＳＲが全く重なっている場合には、無線タグのＩＤはすべて異なっていてもよい。
【００３５】
なお、無線タグが配置されていない従来例のＴＶリモート制御システムにおいては、部屋Ａにおいてリモコン操作装置２Ａを操作してＴＶ受信機３Ａを制御しようとしても、リモコン操作装置２Ａからの無線のＴＶコマンド信号の電界強度が比較的大きいため、該コマンド信号が部屋ＢのＴＶ受信機３Ｂにも到達してしまうことがある。これにより、ＴＶ受信機３Ｂも不所望に制御されてしまう可能性がある。本発明においては、無線タグを各部屋に配置したことにより、このような誤動作を排除することができる。
【００３６】
リモコン操作装置２Ａは、図６−Ｂに示すように、ＴＶ受信機３Ａ又は３ＢのＴＶ信号の受信状態を制御するためのコマンド信号を発生するコマンド発生部２１、ＩＤ読取信号を送信しかつ該信号を受け取った無線タグから返送されるＩＤを受け取るＩＤ読取部２２と、読み取られた１又は複数のＩＤをコマンド発生部２１からのコマンド信号に付加して、コマンド／ＩＤ信号を生成するコマンド／ＩＤ合成部２３と、生成されたコマンド／ＩＤ信号を送信する送信部２４とを備えている。
【００３７】
リモコン操作装置２Ａはさらに、コマンド発生部２１及びＩＤ読取部２２を駆動してコマンド信号及びＩＤ読取信号を発生させるためのキーボード２６と、リモコン操作装置２Ａ全体の制御を行うための制御部２７とを備えている。
ＩＤ読取部２２から送信されるＩＤ読取信号を電波とした場合、その強度は、コマンド／ＩＤ信号に比べて小さく、部屋Ａ内でリモコン操作装置２ＡからＩＤ読取信号を発生させた場合に、部屋Ａ内の無線タグには到達するが、隣接する部屋Ｂ内の無線タグに到達しないように設定されている。また、無線タグからの応答信号が電波信号である場合、その強度も、隣接する部屋Ｂに到達しないように、弱くする必要がある。壁を通過する際に大きく減衰する特性を有する高周波信号を利用することが好適である。
リモコン操作装置２ＡからのＩＤ読取信号及び無線タグから返送される応答信号を、赤外線又は超音波からなる信号としてもよい。
【００３８】
無線タグからのＩＤ読み取りは、例えば、会議が開始される前にリモコン操作装置２Ａを操作することにより実行し、読み取ったＩＤを予め記憶しておくことが可能である。そして、その後にリモコン操作装置２Ａのキーボード２６が操作されてコマンド信号がコマンド生成部２１から生成されたときに、コマンド／ＩＤ合成部２３がコマンド信号と予め記憶されたＩＤとを合成し、送信部２４が合成されたコマンド／ＩＤ信号を送信する。
また、コマンド信号を発生させようとリモコン操作装置２Ａのキー操作をしたときに、自動的に、ＩＤ読取部２２がＩＤの読み取りを実行し、かつコマンド／ＩＤ合成部２３がコマンド信号とＩＤとの合成を実行するようにしてもよい。
【００３９】
ＴＶ受信機３Ａは、図６−Ｂに示すように、リモコン操作装置からのコマンド／ＩＤ信号を受信する受信部３１と、ＩＤ読取信号を送信しかつ無線タグから返送されるＩＤを受け取るＩＤ読取部３２と、受信したコマンド／ＩＤ信号を、コマンド信号とＩＤとに分離する信号分離部３３と、分離されたＩＤとＩＤ読取３２によって読み取られたＩＤを対比して一致／不一致を判定するＩＤ判定部３４と、分離されたコマンド信号を処理してＴＶ受信機の制御を行うコマンド処理部３５とを含んでいる。
ＴＶ受信機におけるＩＤ読取信号も、リモコン操作装置の場合と同様に、隣接する部屋に到達しないように、そのパワーが低く設定され、これにより、ＴＶ受信機３Ａが存在する部屋Ａの無線タグのみから、それらのＩＤを読み取ることができるよう設定されている。ＩＤ読み取り信号として、壁を通過する際に大きく減衰する特性を有する高周波信号を利用することが好適である。赤外線又は超音波からなる信号としてもよい。
【００４０】
ＴＶ受信機３Ａでは、ＩＤ一致判定部３４が、信号分離部３３において分離されたＩＤと、ＩＤ読取部３２によって取得されたＩＤとを対比し、一致するＩＤが存在する場合に、リモコン操作装置２Ａからのコマンド信号が、自分に向けられたものであると判定する。そして、コマンド処理部３５は、自分に向けられたコマンド信号であると判定されたコマンド信号に基づいて、ＴＶ受信機３Ａの動作を制御する。
ＴＶ受信機３ＢもＴＶ受信機３Ａと同様な構成を備えている。
【００４１】
上記説明からも明らかなように、図６−Ａ及びＢに示したＴＶリモート制御システムにおいては、リモコン操作装置２Ａが、ＴＶ受信機３Ａが配置されている部屋Ａに設けられた無線タグ１Ｔ１、１Ｔ２、１Ｒ１、及び１Ｒ２の１又は複数のＩＤを読み取り、該ＩＤとＴＶ受信機３Ａを駆動制御するコマンド信号とをＴＶ受信機３Ａに送信する。ＴＶ受信機３Ａは、同様に無線タグから読み取ったＩＤと受信した信号に重畳されたＩＤとの一致を判定する。これにより、ＴＶ受信機３Ａは、部屋Ａに存在するリモコン操作装置２Ａからのコマンド信号であることを認識することができ、よって、コマンド信号に応じた受信制御が行われる。
一方、隣接する部屋Ｂに存在するＴＶ受信機３Ｂは、リモコン操作装置２Ａからのコマンド信号が届いたとしても、該コマンド信号に付随して送られてくるＩＤが部屋１内のものではないことを認識することができる。よって、ＴＶ受信機２Ａは、部屋Ａからのコマンド信号によって不所望に動作することがない。
【００４２】
図６−Ａ及びＢに示したＴＶリモート制御システムにおいて、無線タグ１Ｔ１、１Ｔ２、１Ｒ１、及び１Ｒ２に格納されたＩＤを全て異ならせた場合、部屋Ａが比較的広い場合は問題が生じる。例えば、リモコン操作装置２Ａが無線タグ１Ｔ１及び１Ｔ２のみからＩＤを読み取ることができ、ＴＶ受信機３Ａが無線タグ１Ｒ１及び１Ｒ２のみからＩＤを読み取ることができる場合、両者が読み取ったＩＤに一致するものがないため、ＴＶ受信機３ＡのＩＤ判定部３４は、リモコン操作装置２Ａからのコマンド信号を自分に向けられたものではないと判定してしまう。したがって、ＴＶ受信機３Ａは、自分に向けられたコマンド信号を受信しても、該信号に全く応答しない状態となる。
【００４３】
このような問題は、第３〜第５の実施形態のように、ＩＤをＦＥＣ符号化技術を利用して分割符号化することにより複数のＩＤ素片を形成し、これらＩＤ素片をそれぞれの無線タグに割り当てることにより、解決することができる。
【００４４】
ここで、ＦＥＣ符号化を用いたことによるより詳細な作用効果を説明する。
最も単純なケースとして、部屋の中に無線タグ（応答装置）が１つしか無く、送信装と受信装置がともに応答装置の近傍にある場合を想定する。この場合、応答装置の無線通信距離が最大で３０センチであると、送信装置と受信装置は最大で６０センチまでしか離せない。同じ通信原理で通信距離を大きくするには、全く同一のキーを保持する応答装置を２つ用意し、送信装置の近傍に１つ、受信装置装置の近傍にもう１つを配置すればよい。受信装置は通常、その場所に固定的に置かれていることが多いことから、応答装置と対にして受信装置を配置することは問題になる可能性が低いが、送信装置が携帯デバイスである場合、その周囲に常に応答装置があることを保証するには、部屋中（もしくは送信装置を利用する可能性がある場所の近傍全て）に応答装置をくまなく均等に配置する必要がある（その応答装置の数（密度）をＤとする）。
【００４５】
「全ての応答装置に同一のＩＤを記録する」という単純な解決策では、２つの空間（部屋）が隣接しており、２つの空間のシールドが不十分な場合（つまり、弱い無線の読取信号や応答信号が空間を越えて伝達されてしまう場合）に問題が生じる。例えば、部屋ＡとＢが隣接しており、それを仕切る壁の付近では部屋Ａ及びＢ内の応答信号が読み取れてしまう可能性がある。したがって、部屋Ａで読取信号を送出した時とほぼ同時に部屋Ｂで別の読取信号が送出された結果として発生する部屋Ｂの応答信号が、部屋Ａに飛び込んで来ることもありうる。
このような問題は、読取信号に何らかの識別子（例えば読取装置のＩＤ）を付加し、応答信号にそれを重畳することで回避可能であろうが、応答装置が能動型（読取信号を必要としないもの、例えば定期的にＩＤ信号を送出するタイプ）の場合、隣室との境界付近では、低い割合ではあるが定期的に隣室のＩＤ信号が混入してくる可能性もある。シールドを改善する以外の方法でこうした混信問題を解消するためには、各部屋の応答装置の密度をＤの数倍（例えば３倍）に上げ、読取信号に応答する応答装置の数を増やし、読み取れた応答信号に含まれるＩＤの多数決により空間のＩＤを決定する必要がある。
【００４６】
しかしながら、応答装置の密度を上げ一度に読み取れる応答信号の数を増やすと、複数の応答信号を衝突回避（anti-collision）処理しながら読み取るため、読取処理に時間がかかる。多くの場合、読み取られた応答信号に含まれるＩＤはその空間のＩＤであり、全て同一である。つまり隣室からの混信を回避するために、理想的には１つしか読み取る必要がない応答信号読取に要する時間の時間数倍（例えば３倍）以上を費やすことになる。
【００４７】
また、数倍の応答装置からの応答信号を読み取ることが避けられないなら、ＩＤを数分割（例えば、ＩＤ1、ＩＤ2、ＩＤ3に３分割）して別々の応答装置に格納することにより、その無駄を解消することも考えられる。これにより、応答装置に記録するＩＤのサイズが小さくなり、結果としてその読み取りに要する時間が節約できる。
しかしながら、単純に３分割すると、ＩＤ1、ＩＤ2、ＩＤ3が全て読み取れるまで、元のＩＤは復元できないため、故障も含めた何らかの要因で特定空間位置におかれた特定の分割素片（例えばＩＤ2）が読み取れない場合、その空間位置の空間ＩＤを特定できなくなる。それを避けるためには、応答装置の密度を高くするしかない（例えば２倍にする）。
【００４８】
これに対し、分割素片をＦＥＣ符号化して得られる冗長なＩＤ素変を応答装置に格納する方式では、個々の応答装置が全く同等の価値を持つため、読み取れない応答装置があっても、その周囲の別の応答装置からの応答信号で補えるので、応答装置の密度も単純に分割する場合に比べ低くできる（例えば1.5倍かそれ以下で済む）。
【００４９】
なお、隣室からのＩＤ素片のFEC復号処理を排除するために、各ＩＤ素片を応答装置に格納する際に、数ビットの空間識別子を付加することが考えられる。識別子は、どの隣り合う空間も同じ値を持たないように決定すればよい。例えば、隣接する空間が２次元的に規則的に配置されている場合には、各空間の識別子に
1 2 3 4 5 …
4 5 6 7 8 …
7 8 9 1 2 …
1 2 3 4 5 …
………………
のように、規則的１〜９の値を持たせることで、その条件を満たすことができる。
【００５０】
また、受信装置の近傍にある無線タグ及び送信装置の近傍にある無線タグの全ての無線タグが異なるＩＤを持つ場合、ある空間（場所）を送信装置や受信装置の近傍の無線タグが保持するＩＤから特定するためには、「その空間に存在する無線タグが保持するＩＤの一覧」を記憶し管理する「位置情報サーバ」に相当する問い合わせサービスが必要になる。
これに対し、ＦＥＣ符号化によりＩＤを分割して符号化すると、全てのＩＤ素片が異なる値を持ち、なおかつ復号により得られるＩＤは同一であるため、位置情報サーバを必要としない。
【００５１】
さらにまた、昨今の無線タグ・チップには、少なくとも十数バイトの固定ＩＤ領域と十数バイトのユーザ領域があり、規格品を利用することで、コスト削減等のメリットが見込める。しかしながら、規格品等のように、記憶容量が比較的小さい無線タグを用いた場合、キー長がＩＤ長より長い場合には、キーを分割して格納せざるを得ないが、キーを割符のように単純分割すると、空間上の任意の位置で元のキーを復号するためには、ｋ種類のキー素片の複製を保持する応答装置を空間に均一にＤ個ずつ配置する必要がある（ｋ＝３、すなわち３分割なら３×Ｄ個の応答装置が必要になる）。
ＦＥＣ符号化を用いると、応答装置が保持するキー素片は全て異なる値を持つにも関わらず全て同等に扱えるため、ｋと無関係に均一に配置すればよい。応答装置の設置、移動、保守などの応答装置管理が単純分割に比べ容易である。
以上のように、ＩＤを分割しＦＥＣ符号化して冗長に分散配置する方式は、ＦＥＣ復号処理に要する時間やコストを考慮しても、ＩＤを分割しない単純な方式より優れており、極めて実用的である。
【００５２】
上記においては、リモコン操作装置からＴＶ受信機へコマンド信号の送信を行う実施例について説明したが、リモコン操作装置によって動作が制御される機器であれば、ＴＶ受信機以外の任意の被制御機器であっても適用可能であることは言うまでもない。また、上記においては、制御装置と被制御装置とが１対１である例について説明したが、１対複数、複数対１、又は複数対複数であってもよい。さらに、無線タグが能動型であってもよい。
【００５３】
また、本発明の通信システムは、複数の通信装置が１つの会議室でデータを送受信する通信システムにも適用可能である。すなわち、会議室内でパーソナルコンピュータからなるある通信装置が他の（１又は複数の）通信装置にデータを通信する際、会議室内に無線タグを備えておき、該あるパソコンに、無線タグのＩＤを読み取る機能及び該ＩＤをデータに付加して送信する機能を具備させ、他のパソコンに、無線タグのＩＤを読み取る機能、受信したデータからＩＤを抽出する機能、及び読み取られたＩＤ及び抽出されたＩＤが一致するかどうかを判定する機能を具備させる。会議室内のすべてのパソコンそれぞれに、無線タグのＩＤを読み取る機能、該ＩＤをデータに付加して送信する機能、受信したデータからＩＤを抽出する機能、及び、読み取られたＩＤ及び抽出されたＩＤが一致するかどうかを判定する機能を具備させてもよい。
これにより、隣室に同様な通信装置が存在する場合であっても、これら隣室のパソコンに会議室からのデータが不所望に受信されてしまうことがなく、同一会議室内のパソコンのみに、送信側パソコンからのデータ等を表示することができる。
【００５４】
以上のように、本発明によれば、送信装置が送信する信号を受信可能な複数の受信装置が存在する環境、又は受信装置が受信可能な信号を送信する複数の送信装置が存在する環境において、同一のＩＤ（又は、復元されたＩＤが同一となるＩＤ素片）が配置された領域の送信装置２及び受信装置３のみが通信可能となる。
【図面の簡単な説明】
【００５５】
【図１−Ａ】本発明に係る第１の実施形態の通信システムを説明するためのブロック図である。
【図１−Ｂ】第１の実施形態の通信システムにおける送信装置、受信装置及び無線タグの具体的構成を示す図である。
【図２】本発明に係る第２の実施形態の通信システムを説明するためのブロック図である。
【図３−Ａ】本発明に係る第３の実施形態の通信システムを説明するためのブロック図である。
【図３−Ｂ】第３の実施形態の通信システムにおける送信装置、受信装置及び無線タグの具体的構成を示す図である。
【図４−Ａ】本発明に係る第４の実施形態の通信システムを説明するためのブロック図である。
【図４−Ｂ】第４の実施形態の通信システムにおける送信装置、受信装置及び無線タグの具体的構成を示す図である。
【図５】本発明に係る第５の実施形態の通信システムを説明するためのブロック図である。
【図６−Ａ】本発明に係る通信システムをＴＶ受信機のリモコン制御を行うためのＴＶリモート制御システムに適用した場合の構成を示すブロック図である。
【図６−Ｂ】図６−Ａに示したＴＶリモート制御システムにおけるリモコン操作装置、ＴＶ受信機、無線タグの構成を示すブロック図である。
【図１−Ａ】
2006033152.tif 000003
【図１−Ｂ】
2006033152.tif 000004
【図２】
2006033152.tif 000005
【図３−Ａ】
2006033152.tif 000006
【図３−Ｂ】
2006033152.tif 000007
【図４−Ａ】
2006033152.tif 000008
【図４−Ｂ】
2006033152.tif 000009
【図５】
2006033152.tif 000010
【図６−Ａ】
2006033152.tif 000011
【図６−Ｂ】
2006033152.tif 000012